(57)【特許請求の範囲】
【請求項１】
東西方向または南北方向に延在する４つの壁部が形成された二階建ての建物本体を有し、太陽光パネルを備えた建物であって、
略水平に配された無落雪屋根と、
前記無落雪屋根に隣接した位置で前記無落雪屋根に向けて下がるように傾斜し、表面に太陽光パネルが重ねられた勾配屋根と、を有する屋根を備えており、
前記屋根において南側半分に前記無落雪屋根が配置され、北側半分に前記勾配屋根が配置され、勾配屋根には無落雪屋根の東側側面および西側側面に張り出した軒が形成されるとともに、西側側面の軒の下方には、建物本体の西側側面の一階部分に二階部分よりも張り出すように玄関部分が設けられ、この玄関部分の屋根は略水平に形成されており、
前記勾配屋根の表面のうち無落雪屋根の東側側面に張り出した部分には太陽光パネルが配置されずに融雪用のヒーターが配置され、
さらに、前記無落雪屋根には、当該無落雪屋根と前記勾配屋根とが合わさる谷部分から所定の間隔を開けた部分に配置され、なおかつ前記谷部分の延在方向に沿って形成された樋が設けられていることを特徴とする太陽光パネルを備えた建物。
【請求項２】
請求項１記載の太陽光パネルを備えた建物において、
前記無落雪屋根と前記勾配屋根とが合わさる谷部分を補強する補強部を備えていることを特徴とする太陽光パネルを備えた建物。
【請求項３】
請求項１又は２記載の太陽光パネルを備えた建物において、
前記無落雪屋根と前記勾配屋根とが合わさる谷部分から離れた位置に、前記無落雪屋根に作業者を案内するための梯子が設けられていることを特徴とする太陽光パネルを備えた建物。
【発明の詳細な説明】
【技術分野】
【０００１】
本発明は、太陽光パネルを備えた建物に関する。
【背景技術】
【０００２】
従来より、片流れ屋根を有する建物においては、太陽光の受光効率を高めるべく、その勾配屋根を南側に向け、当該屋根上に太陽光パネルを設置したものが知られている（例えば特許文献１参照）。
【先行技術文献】
【特許文献】
【０００３】
【特許文献１】特開２００５−１３３６６６号公報
【発明の概要】
【発明が解決しようとする課題】
【０００４】
しかしながら、上記のような建物を豪雪地に建設した場合、冬期に勾配屋根に積雪があると、その傾斜によって雪が落下してしまう。雪の落下は、安全面の観点だけでなく、庭の一部に集中して盛られることや、立地によっては隣地へ侵入してしまうことがあり好ましくない。
このため、本発明の課題は、太陽光パネルから雪が落下してしまうことを防止することである。
【課題を解決するための手段】
【０００５】
請求項１に記載の発明は、例えば図１〜図４に示すように、
東西方向または南北方向に延在する４つの壁部１１が形成された二階建ての建物本体１０を有し、太陽光パネル３０を備えた建物１であって、
略水平に配された無落雪屋根２１と、
前記無落雪屋根２１に隣接した位置で前記無落雪屋根２１に向けて下がるように傾斜し、表面に太陽光パネル３０が重ねられた勾配屋根２２と、を有する屋根２０を備えており、
前記屋根２０において南側半分に前記無落雪屋根２１が配置され、北側半分に前記勾配屋根２２が配置され、勾配屋根２２には無落雪屋根２１の東側側面および西側側面に張り出した軒が形成されるとともに、西側側面の軒２２１の下方には、建物本体の西側側面の一階部分に二階部分よりも張り出すように玄関部分１２が設けられ、この玄関部分１２の屋根１５は略水平に形成されており、
前記勾配屋根２２の表面のうち無落雪屋根２１の東側側面に張り出した部分には太陽光パネル３０が配置されずに融雪用のヒーター６０が配置され、
さらに、前記無落雪屋根２１には、当該無落雪屋根２１と前記勾配屋根２２とが合わさる谷部分４０から所定の間隔を開けた部分に配置され、なおかつ前記谷部分４０の延在方向に沿って形成された樋４２が設けられていることを特徴としている。
【０００６】
請求項１記載の発明によれば、表面に太陽光パネル３０が重ねられた勾配屋根２２が、勾配屋根２２に隣接した位置で無落雪屋根２１に向けて下がるように傾斜しているので、太陽光パネル３０上に降り積もった雪が勾配屋根２２の傾斜によって滑り落ちたとしても、勾配屋根２２に隣接する無落雪屋根２１によってそれ以上の滑り落ちが規制されることになる。したがって、太陽光パネル３０から雪が落下してしまうことを防止することができる。
【０００８】
また、請求項１記載の発明によれば、勾配屋根２２における無落雪屋根２１の東側側面に張り出した部分の太陽光パネル３０が配置されない部分に融雪用のヒーター６０が設けられているので、太陽光パネル３０のない部分に積もった雪を溶かすことができる。
【００１０】
ここで、無落雪屋根２１と勾配屋根２２とが合わさる谷部分４０に樋４２が設けられてしまうと、谷部分４０の構造が複雑になってしまい、漏水対策も複雑なものになってしまう。しかしながら、請求項１記載の発明のように、無落雪屋根２１と勾配屋根２２とが合わさる谷部分４０から所定の間隔を開けた部分に樋４２が配置されていると、谷部分４０の構造の複雑化を抑制することができ、漏水対策の煩雑化も抑制することが可能となる。
【００１１】
請求項２記載の発明は、例えば図１〜図４に示すように、請求項１記載の太陽光パネル３０を備えた建物１において、
前記無落雪屋根２１と前記勾配屋根２２とが合わさる谷部分４０を補強する補強部（補強梁４１）を備えていることを特徴としている。
【００１２】
また、無落雪屋根２１と勾配屋根２２とが合わさる谷部分４０においては、積雪が増加するとどうしても応力が集中することになるが、請求項２記載の発明のように、無落雪屋根２１と勾配屋根２２とが合わさる谷部分４０を補強する補強部（補強梁４１）が備えられていれば、谷部分４０を強固に支えることが可能である。
【００１３】
請求項３記載の発明は、例えば図１〜図４に示すように、請求項１又は２記載の太陽光パネル３０を備えた建物１において、
前記無落雪屋根２１と前記勾配屋根２２とが合わさる谷部分４０から離れた位置に、前記無落雪屋根２１に作業者を案内するための梯子５０が設けられていることを特徴としている。
【００１４】
また、請求項３記載の発明によれば、無落雪屋根２１に作業者を案内するための梯子５０が谷部分４０から離れた位置に配置されているので、勾配屋根２２から滑り落ちた雪が谷部分４０に溜まっていたとしても、その部分を回避した位置、つまり雪下ろし作業のしやすい雪溜まりの少ない位置に作業者を案内することが可能である。
【発明の効果】
【００１５】
本発明によれば、太陽光パネルから雪が落下してしまうことを防止することができる。
【図面の簡単な説明】
【００１６】
【図１】本実施形態に係る建物の概略構成を東側から見た側面図である。
【図２】本実施形態に係る建物の概略構成を西側から見た側面図である。
【図３】本実施形態に係る建物の概略構成を北側から見た側面図である。
【図４】本実施形態に係る建物の概略構成を南側から見た側面図である。
【発明を実施するための形態】
【００１７】
以下に、本発明を実施するための最良の形態について図面を用いて説明する。ただし、以下に述べる実施形態には、本発明を実施するために技術的に好ましい種々の限定が付されているが、発明の範囲を以下の実施形態及び図示例に限定するものではない。
図１〜４は、本実施形態に係る建物の概略構成を示す説明図であり、図１は東側から見た側面図、図２は西側から見た側面図、図３は北側から見た側面図、図４は南側から見た側面図である。
図１〜図４に示すように、建物１は、建物本体１０と、屋根２０と、太陽光パネル３０とを備えている。ここで、建物本体１０の壁部１１を構成する壁パネルや、屋根２０を構成する屋根パネル、太陽光パネル３０は、それぞれ基本モジュールの整数倍に基づいたサイズに形成されている。
太陽光パネル３０としては、太陽光により発電をする太陽発電パネルや、太陽光により発熱をする太陽発熱パネル等が挙げられる。
【００１８】
建物本体１０は、二階建てであり、その玄関部分１２が二階部分１３よりも張り出た構造となっている。建物本体１０の壁部１１には、複数の窓１４が設けられている。また、玄関部分１２の屋根１５は略水平に形成されていて、この屋根１５に出入りするためのドア１６が二階部分１３の壁部１１に設けられている。
【００１９】
屋根２０は、略水平に配された無落雪屋根２１と、無落雪屋根２１に隣接した位置で無落雪屋根２１に向けて下がるように傾斜し、表面に太陽光パネル３０が重ねられた勾配屋根２２とを備えている。屋根２０においては、南側半分が無落雪屋根２１となっていて、北側半分が勾配屋根２２となっており、無落雪屋根２１と勾配屋根２２とが合わさる部分を谷部分４０とする。谷部分４０は、東西方向に沿って延在している。この谷部分４０を補強すべく、建物本体１０の内部には、谷部分４０を補強する補強梁（補強部）４１が水平に設けられている。
【００２０】
無落雪屋根２１には、谷部分４０から所定の間隔を開けた部分に配置され、なおかつ谷部分４０の延在方向に沿って形成された樋４２が設けられている。無落雪屋根２１の上面は、雨水や雪解け水を樋４２に案内するため、樋４２に向けてわずかに下がるように傾斜している。
また、無落雪屋根２１には、谷部分４０から離れた位置であって、玄関部分１２の屋根１５に対応する位置に、無落雪屋根２１に作業者を案内するための梯子５０が設けられている。
【００２１】
勾配屋根２２には、無落雪屋根２１の東側側面及び西側側面に張り出した軒２２１，２２２が形成されている。そして、勾配屋根２２の表面には、太陽光パネル３０が重ねて配置されている。ここで、図４に示すように、勾配屋根２２の全体を太陽光パネル３０によって覆えない場合には、その太陽光パネル３０が配置されない部分に融雪用のヒーター６０を設置している。
【００２２】
次に、本実施形態の作用について説明する。
屋根２０の上面に雪がない状態であると、南側を向く太陽光パネル３０には太陽光が照射されるので、太陽光パネル３０は、太陽光エネルギーを発電エネルギー若しくは発熱エネルギーに変換する。
【００２３】
また、屋根２０の上面に雪が積もった状態で、降雪のない状態が継続すると屋根２０上部の積雪は徐々に溶け出す。無落雪屋根２１上の積雪からの雪解け水は樋４２から排水される。一方、勾配屋根２２上の積雪のうち、ヒーター６０上の積雪は、当該ヒーター６０によって溶け、水として流れ落ちる。また、勾配屋根２２上の積雪のうち、太陽光パネル３０上の積雪は、その傾斜によって徐々に滑り落ちるが、地面に落下することなく谷部分４０付近に溜まることになる。
【００２４】
以上のように、本実施形態によれば、表面に太陽光パネル３０が重ねられた勾配屋根２２が、勾配屋根２２に隣接した位置で無落雪屋根２１に向けて下がるように傾斜しているので、太陽光パネル３０上に降り積もった雪が勾配屋根２２の傾斜によって滑り落ちたとしても、勾配屋根２２に隣接する無落雪屋根２１によってそれ以上の滑り落ちが規制されることになる。したがって、太陽光パネル３０から雪が落下してしまうことを防止することができる。
【００２５】
また、勾配屋根２２における太陽光パネル３０が配置されない部分に融雪用のヒーター６０が設けられているので、太陽光パネル３０のない部分に積もった雪を溶かすことができる。
また、無落雪屋根２１と勾配屋根２２とが合わさる谷部分４０から所定の間隔を開けた部分に樋４２が配置されているので、谷部分４０の構造の複雑化を抑制することができ、漏水対策の煩雑化も抑制することが可能となる。
また、無落雪屋根２１と勾配屋根２２とが合わさる谷部分４０を補強する補強梁４１が備えられているので、谷部分４０を強固に支えることが可能である。
また、無落雪屋根２１に作業者を案内するための梯子５０が谷部分４０から離れた位置に配置されているので、勾配屋根２２から滑り落ちた雪が谷部分４０に溜まっていたとしても、その部分を回避した位置、つまり雪下ろし作業のしやすい雪溜まりの少ない位置に作業者を案内することが可能である。
【００２６】
なお、本発明は上記実施形態に限らず適宜変更可能である。
例えば、本実施形態では、本発明に係る補強部として補強梁４１を例示して説明したが、谷部分４０を補強できるのであれば如何なるものでも補強部として適用可能である。梁以外の補強部としては例えば、谷部分４０を下方から支える補強柱などが挙げられる。
【符号の説明】
【００２７】
１      建物
１０      建物本体
１１      壁部
１２      玄関部分
１３      二階部分
１４      窓
１５      屋根
１６      ドア
２０      屋根
２１      無落雪屋根
２２      勾配屋根
３０      太陽光パネル
４０      谷部分
４１      補強梁（補強柱）
４２      樋
５０      梯子
６０      ヒーター
２２１，２２２    軒
【図１】
0005839703.tif 000002
【図２】
0005839703.tif 000003
【図３】
0005839703.tif 000004
【図４】
0005839703.tif 000005